(57)【要約】【課題】外部からの振動・衝撃をうける環境でも設置後の耐用性に優れ、設置後の状態を長期間保持することでメンテナンスの手間を削減し、また、既設の設備機器に対しても、後付で簡易に設置して取り付け状態を検知する設備機器の固定状態計測器及び計測システムを提供する。【解決手段】天井又は壁に固定された測定対象物の固定状態を測定し或いは固定状態の異常を検知する固定状態計測器であって、屈曲した弾性屈曲板からなり、基部が天井又は壁に固定されると共に、屈曲した先部が測定対象に係止したバネ式変位計１を具備し、この弾性屈曲板の屈曲部近傍の板面に伸縮検知器が固定されてなり、測定対象物の天井又は壁に対する変位動に応じて、バネ式変位計の先部が反応して弾性屈曲板が弾性変形し、庫の弾性変形を伸縮検知器が検知する。【選択図】  図３
2014142287.tif 000002
【特許請求の範囲】
【請求項１】
天井又は壁に固定された測定対象物の固定状態を測定し或いは固定状態の異常を検知する計測器であって、
屈曲した弾性屈曲板からなり、基部が天井又は壁に固定されると共に、屈曲した先部が測定対象に係止したバネ式変位計を具備し、この弾性屈曲板の屈曲部近傍の板面に伸縮検知器が固定されてなり、測定対象物の天井又は壁に対する変位動に応じて、バネ式変位計の先部が反応して弾性屈曲板が弾性変形し、庫の弾性変形を伸縮検知器が検知することを特徴とする固定状態計測器。
【請求項２】
伸縮検知器は、屈曲板面内の互いに同じ領域の上下板面を一対として複数対ずつ貼り付け固定され、
弾性屈曲板の弾性変形を、板面の上下両側から伸縮の各変位動作として同時に検知する請求項１記載の固定状態計測器。
【請求項３】
バネ式変位計の基部を天井又は壁の取付け面と並行に保持固定するためのホルダを、さらに具備してなり、このホルダは、測定対象物周辺の天井又は壁面であって、測定対象物の埋め込み固定による破壊想定領域の範囲外にアンカー固定される請求項１又は２記載の固定状態計測器。
【請求項４】
各伸縮検知器と有線接続された伝送線を介して電気接続され、伸縮検知器の検知信号を受信する受信機を、さらに具備してなり、
伝送線は、ホルダのアンカー固定箇所の下部を通って当該固定箇所近傍の天井又は壁に保持固定される呼び線部分を有し、
この呼び線部分が、ホルダの落下時にホルダを受け止める落下時防止機能を有する請求項１２又は３のいずれか記載の固定状態計測器。
【請求項５】
屈曲した弾性屈曲板からなり、基部が天井又は壁に固定されると共に、屈曲した先部が測定対象に係止し、屈曲部近傍の板面に伸縮検知器が固定されてなる第一のバネ式変位計と、
屈曲した弾性屈曲板からなり、基部が天井又は壁に固定されると共に、屈曲した先部が前記バネ式変位計とは異なる測定箇所に係止し、屈曲部近傍の板面に伸縮検知器が固定されてなる第二のバネ式変位計と、
これら第一及び第二のバネ式変位計の各基部を並べて或いは重ねて保持固定し、それ自体が測定対象物周辺の天井又は壁面にアンカー固定されるホルダと、を具備してなり、
各伸縮検知器が弾性板面の弾性伸長又は弾性圧縮を検知することで、天井又は壁に固定された測定対象物の固定状態を測定し或いは固定状態の異常を検知することを特徴とする固定状態計測器。
【請求項６】
複数の設備機器に対してそれぞれ一または複数個ずつ設置された請求項１ないし５のいずれか記載の固定状態計測器と、
各固定状態計測器と伝送線を介して接続され、各固定状態計測器による計測信号を受信する受信機と、
受信機が受信した計測信号から不要な情報をフィルタリングし、フィルタリング後の情報を表示する分析表示機と、を備えてなり、
前記分析表示機は、各設備機器の固定状態の分析結果を表示することを特徴とする固定状態計測システム。
【発明の詳細な説明】
【技術分野】
【０００１】
本発明は、天井又は壁に取り付けた設備機器又はその取り付け部材の、天井又は壁への固定状態を計測し、或いは監視して緩み状態を検知するための固定状態計測器、及びこの計測器を複数備えた計測システムに関する。
【背景技術】
【０００２】
トンネル掘削壁面の緩み状態検知方法として、従来、トンネル掘削壁面の少なくとも上周部にルーフを設けてトンネルの掘削中に上記ルーフにかかる荷重を測定し、この測定した荷重の大小からトンネル掘削壁面の緩み状態を検知するトンネル掘削壁面の緩み状態検知方法が開示される（特許文献１参照）。これは、ルーフはトンネル掘削機の上部に対して油圧ジャッキにより上下方向に進退自在に支持されてあり、この油圧ジャッキを伸長させて上記ルーフをトンネル掘削壁面に圧接させた後、上記油圧ジャッキを収縮させてトンネル掘削壁面からのルーフの圧接を解き、この時の油圧ジャッキの作動油圧を測定して該油圧値の大小からトンネル掘削壁面の緩み状態を検知するもの、とされる。
また従来、地盤、岩盤、コンクリート構造物の緩み、亀裂範囲測定方法として、空洞内の外周面に穿設された孔内に、変更可能な間隔で取り付けられる超音波発信器と超音波受信器を備え、係止具により係止される超音波測定器を挿入すると共に、該超音波測定器を挿入深度を異ならせて前記孔内の複数の測定個所に順次設置したものが開示される（特許文献２参照）。これは、前記複数の測定個所での超音波速度を各々測定し、測定した超音波速度の違いから地盤、岩盤、コンクリート構造物の緩み、亀裂範囲を測定する、とされる。
【先行技術文献】
【特許文献】
【０００３】
【特許文献１】特開平１１−８１８５６号公報
【特許文献２】特開平１０−３１８９９６号公報
【発明の開示】
【発明が解決しようとする課題】
【０００４】
しかしながら、上記従来の緩み状態検知方法ないし緩み等の範囲測定方法は、油圧ジャッキのルーフへの圧接配置ないし超音波測定器の配置が必要となる。これら油圧ジャッキ、超音波測定器は、所定以上の重量を有する機械器具であったり、発受信部を有する精密機器であったりするため、外部からの振動・衝撃をうける環境では設置後の耐用性に優れるとは言えない。このため、設置後に頻繁なメンテナンスを行わない限り、適正な配置状態や正常な測定状態を長期にわたって保持できないおそれがあった。また、既設の設備機器の取り付け状態を検知するためには、後付け式で簡易に設置できることが必要であるが、上記従来の検知機器は、後付で簡易に設置できるものとは言えなかった。さらに、これら油圧ジャッキ、超音波測定器のいずれも高価な機械製品であるため、設置個数が多い場合には製品自体の費用がかさむものであった。
【０００５】
そこで本発明は、設備機器の固定状態計測器及び計測システムとして、外部からの振動・衝撃をうける環境でも設置後の耐用性に優れ、設置後の状態を長期間保持することでメンテナンスの手間を削減し、また、既設の設備機器に対しても、後付で簡易に設置して取り付け状態を検知するものを提供することを課題とする。
【課題を解決するための手段】
【０００６】
上記課題を解決すべく本発明では下記（１）〜（６）の手段を講じている。
【０００７】
（１）本発明の固定状態計測器は、天井又は壁に固定された測定対象物の固定状態を測定し或いは固定状態の異常を検知する計測器であって、
屈曲した弾性屈曲板からなり、基部が天井又は壁に固定されると共に、屈曲した先部が測定対象に係止したバネ式変位計１を具備し、この弾性屈曲板の屈曲部近傍の板面に伸縮検知器が固定されてなり、
測定対象物の天井又は壁に対する変位動に応じて、バネ式変位計の先部が反応して弾性屈曲板が弾性変形し、庫の弾性変形を伸縮検知器が検知することを特徴とする。
後述の実施例では、バネ式変位計１は、取付け面に沿って基端固定された基部１０、屈曲して下方に伸びる屈曲変位部１１、屈曲変位部１１の先端位置（屈曲後の位置）から逆方向に屈曲して伸びる先端部１２とによって一体構成された鉤状の屈曲板からなる。基部１０は天井面又は壁面と略並行となるように固定され、先端部１２はその先部に二股の係止部１２Ｆが形成され、係止部１２Ｆの二股部分が測定対象物を挟み込むように係止する。
【０００８】
（２）前記固定状態計測器において、伸縮検知器は、屈曲板の同じ箇所（同じ領域）の上下板面を一対として複数対ずつ貼り付け固定され、
弾性屈曲板の弾性変形を、板面の上下両側から伸縮の各変位動作として同時に検知することが好ましい。
さらに言えば、後述の実施例のように、各対の検知器は、屈曲板の板幅方向に並列配置して固定されることが好ましい。
【０００９】
（３）前記いずれかの固定状態計測器においてはさらに、バネ式変位計１の基部を天井又は壁の取付け面と並行に保持固定するための「ホルダ３」を具備してなり、このホルダ３は、測定対象物周辺の天井又は壁面であって、測定対象物の埋め込み固定による破壊想定領域の範囲外にアンカー固定されることが好ましい。
【００１０】
（４）前記いずれかの固定状態計測器においてはさらに、各伸縮検知器と有線接続された伝送線を介して電気接続され、伸縮検知器の検知信号を受信する受信機を具備してなり、
伝送線は、ホルダのアンカー固定箇所の下部を通って当該固定箇所近傍の天井又は壁に保持固定される呼び線部分を有し、
この呼び線部分が、ホルダの落下時にホルダを受け止める落下時防止機能を有することが好ましい。
【００１１】
実施例ではホルダの固定アンカーのうち、天井又は壁から突出した突出部分にも落下防止線を挿通し、落下防止ピンによって、伝送線の線部分範囲と共にアンカー固定箇所の外部近傍に係止保持される。
【００１２】
（５）或いは、本発明の固定状態計測器は、
屈曲した弾性屈曲板からなり、基部が天井又は壁に固定されると共に、屈曲した先部が測定対象に係止し、屈曲部近傍の板面に伸縮検知器が固定されてなる第一のバネ式変位計１と、
屈曲した弾性屈曲板からなり、基部が天井又は壁に固定されると共に、屈曲した先部が前記バネ式変位計１とは異なる測定箇所に係止し、屈曲部近傍の板面に伸縮検知器が固定されてなる第二のバネ式変位計２と、
これら第一及び第二のバネ式変位計１２の各基部を並べて或いは重ねて保持固定し、それ自体が測定対象物周辺の天井又は壁面にアンカー固定されるホルダ３と、を具備してなり、
各伸縮検知器が弾性板面の弾性伸長又は弾性圧縮を検知することで、天井又は壁に固定された測定対象物の固定状態を測定し或いは固定状態の異常を検知することを特徴とする。
上記はすなわち、異なる固定部品にそれぞれ係止させたバネ式変位計１２の各基端部を、一の貼り付けられたホルダ３の先部に並べて/重ねて保持した２系統の変位計である。
バネ式変位計１２は先端近傍を、測定対象物すなわち設備機器の固定部品（ボルト,プレート）に係止させてなると共に、基端を天井又は壁に固定してなる。また、弾性伸長する板面の中央位置の上下にそれぞれ、伸縮圧電素子を張り付けてなる。また、ホルダは変位計１２を並列保持し、かつ変位計１２それぞれの基部が、天井又は壁面と並行となるように保持する保持プレートからなる。
（６）また、本発明の固定状態計測システムは、複数の設備機器に対してそれぞれ一または複数個ずつ設置された前記いずれかの固定状態計測器と、
各固定状態計測器と伝送線を介して接続され、各固定状態計測器による計測信号を受信する受信機と、
受信機が受信した計測信号から不要な情報をフィルタリングし、フィルタリング後の情報を表示する分析表示機と、を備えてなり、
前記分析表示機は、各設備機器の固定状態の分析結果を表示することを特徴とする。
【発明の効果】
【００１３】
本発明は、上記手段によって、耐用性のある簡易な機構からなる固定状態計測器を採用することで、外部からの振動・衝撃をうける環境でも設置後の耐用性に優れ、設置後の状態を長期間保持することでメンテナンスの手間を削減し、また、既設の設備機器に対しても、後付で簡易に設置して取り付け状態を検知することができるものとなった。またそのような計測器を備えた計測システムにより、設置後の耐用性に優れ、設置後の状態を長期間保持することでメンテナンスの手間を削減し、また、既設の設備機器に対しても、後付で簡易に設置して取り付け状態を検知することができる検知システムを提供することとなった。
【図面の簡単な説明】
【００１４】
【図１】実施例１の固定状態計測器の上方斜視図。
【図２】実施例１の固定状態計測器の取り付け状態例を示す下方斜視図。
【図３】図２に示す実施例１の取り付け状態の断面説明図。
【図４】図２に示す実施例１の取り付け状態の下面図。
【図５】実施例２の固定状態計測器の上方分解斜視図。
【図６】実施例２の固定状態計測器の上方斜視図。
【図７】実施例２の固定状態計測器の取り付け状態例を示す断面説明図。
【図８】図７に示す実施例２の取り付け状態の下面図。
【図９】各実施例の伸縮検知器の回路系統を示す説明図。
【発明を実施するための形態】
【００１５】
以下、本発明を実施するための形態例につき、実施例として示す図面と共に説明する。図１〜４は本発明の実施例１の固定状態計測器を、図５〜８は本発明の実施例２の固定状態計測器を、それぞれ示す。図９は実施例１２を含む本発明の固定状態計測器の伸縮検知器（伸縮電圧素子）の回路図である。
【００１６】
以下いずれの実施例においても、本発明の固定状態計測器は、天井又は壁に固定された測定対象物の固定状態を測定し或いは固定状態の異常を検知する計測器である。ここで本発明では、設備機器又は設備機器を取り付けるための取り付け部品（取り付けアングル、取り付けプレートないしこれらを天井又は壁に取り付けるための取り付けボルト、取り付けナット等）を測定対象物としている。
この固定状態計測器は少なくとも、
・屈曲した弾性屈曲板からなり、基部が天井又は壁に固定されると共に、屈曲した先部が測定対象に係止するように設置された「バネ式変位計１」と、
・バネ式変位計１の基部を天井又は壁の取付け面と並行に保持固定するための「ホルダ３」とを具備してなる。
そして、前記弾性屈曲板からなるバネ式変位計１は、屈曲部近傍の板面に伸縮検知器ＳＡ〜ＳＤが固定されてなることを特徴とする。
【００１７】
バネ式変位計１は設置状態において、基部が天井又は壁に固定されると共に、屈曲した先部が測定対象物である設備機器ないし取り付け部品に係止している。これら設備機器ないし取り付け部品が取り付け箇所の天井又は壁に対して異常な変位動をおこしたとき、この変位動に応じて、バネ式変位計の先部が反応して弾性屈曲板が弾性変形し、この弾性変形を伸縮検知器が検知する。
【００１８】
また、本発明の固定状態計測システムは、複数の設備機器に対してそれぞれ一または複数個ずつ設置された前記固定状態計測器と、
各固定状態計測器と伝送線を介して接続され、各固定状態計測器の伸縮検知器による計測信号を受信する受信機と、
受信機が受信した計測信号から不要な情報をフィルタリングし、フィルタリング後の情報を表示する分析表示機と、を備えてなる。
そして前記分析表示機は、伸縮検知器による計測信号が、取り付け対象物の固定状態の異常と関連性があるかどうかを自動分析し、各設備機器の固定状態の分析結果を表示することを特徴とする。以下、実施例に基づく各形態につき詳述する。
【実施例１】
【００１９】
本発明の実施例１の固定状態計測器、その取り付け状態、及びその回路図を、図１〜図４及び図９に示す。本発明の実施例１の固定状態計測器は、図１に示すように、複数の伸縮検知器ＳＡ，ＳＢ，ＳＣ，ＳＤが両面に張り付けられた弾性屈曲板からなるバネ式変位計１と、これを取付け面と並行に保持しつつ固定するためのホルダ３とから構成される。図２〜図５に示す取り付け状態ではさらに、伝送線１Ｌと、伝送線１Ｌの一部範囲（呼び線部分）と共に落下防止ピンＬＳ，ＬＣで取付け面に留められる落下防止専用線３Ｌとを具備して設置され、図示しない受信機ないし分析表示機と共に、固定状態計測システムを構成する。
【００２０】
（バネ式変位計１）
バネ式変位計１は、取付け面に沿って基端固定された基部１０、屈曲して下方に伸びる屈曲変位部１１、屈曲変位部１１の先端位置（屈曲後の位置）から逆方向に屈曲して伸びる先端部１２とによって一体構成された鉤状の弾性屈曲板からなる。基部１０は天井面又は壁面と略並行となるように固定され、先端部１２はその先部に二股の係止部１２Ｆが形成され、係止部１２Ｆの二股部分が測定対象物を挟み込むように係止する。
【００２１】
実施例１のバネ式変位計１は先端付近で鉤状に屈曲した薄板状の弾性体からなり、具体的には、取付け面に沿って基端固定されながら取付面と並行に伸びる基部１０と、基部１０に対して一方向（下方）に垂直に屈曲して、測定対象物の突出高さ分だけ下方に伸びる屈曲変位部１１と、屈曲変位部１１の先端位置（屈曲後の位置）から屈曲変位部とは逆の方向に垂直に屈曲して、その逆方向に屈曲して伸びる先端部１２と、先端部１２の先端辺が湾曲した凹状部１２Ｄによって窪み形成されると共にこの凹状部１２Ｄの両端から尖端方向に二股に突出する係止部１２Ｆとによって一体構成される。基部１０は天井面又は壁面と略並行となるように固定され、先端部１２は係止部１２Ｆの二股部分が、測定対象物である固定ボルトＢの先端の外螺子部を、半円状に囲うようにして係止する。
【００２２】
（伸縮検知器ＳＡ、ＳＢ、ＳＣ、ＳＤ）
伸縮検知器は、屈曲板の同じ箇所（同じ領域）の上下板面を一対として２対ずつが、幅方向に並んで２列に貼り付け固定され、弾性屈曲板の弾性変形を、板面の上下両側から伸縮の各変位動作として、かつ板幅方向の異なる２箇所で同時に検知する。各対・各列からなる４つの検知器は、図９に示すスクエア回路によって回路構成され、いずれか単独の検知信号を得ると共に複数の検知信号を合成値として得ることができる。これにより、板面のねじり変位や板幅方向変位、外部環境の振動による変位などを詳細に分析することができる。
【００２３】
（ホルダ３）ホルダ３は、バネ式変位計１の基部を天井又は壁の取付け面と並行に保持固定するための剛性プレートからなる。このホルダ３は、測定対象物周辺の天井又は壁面であって、測定対象物の埋め込み固定による破壊想定領域の範囲外にアンカー固定される。
【００２４】
（伝送線１Ｌ）固定状態計測器の設置状態においてはさらに、各伸縮検知器と有線接続された伝送線を備える。この伝送線は、伸縮検知器と受信機とを電気接続する。伝送線の伸縮検知器接続側の所定線長部分は、ホルダのアンカー固定箇所の下部を通って当該固定箇所近傍の天井又は壁に保持固定される呼び線部分を構成する。この呼び線部分が、ホルダの落下時にホルダを受け止める落下時防止機能を有する。
【００２５】
（落下防止専用線３Ｌ）
実施例１ではホルダの固定アンカーのうち、天井又は壁から突出した突出部分にも落下防止専用線３Ｌを挿通し、落下防止ピンによって、伝送線の線部分範囲と共にアンカー固定箇所の外部近傍に係止保持される。
【実施例２】
【００２６】
図５〜図８及び図９に示す本発明の実施例２の固定状態計測器は、
・屈曲した弾性屈曲板からなり、基部が天井又は壁に固定されると共に、屈曲した先部が測定対象に係止し、屈曲部近傍の板面に伸縮検知器が固定されてなる第一のバネ式変位計１と、
・屈曲した弾性屈曲板からなり、基部が天井又は壁に固定されると共に、屈曲した先部が前記バネ式変位計１とは異なる測定箇所に係止し、屈曲部近傍の板面に伸縮検知器が固定されてなる第二のバネ式変位計２と、
・これら第一及び第二のバネ式変位計１２の各基部を並べて或いは重ねて保持固定し、それ自体が測定対象物周辺の天井又は壁面にアンカー固定されるホルダ３と、を具備してなる。
各伸縮検知器が弾性板面の弾性伸長又は弾性圧縮を検知することで、天井又は壁に固定された測定対象物の固定状態を測定し或いは固定状態の異常を検知することを特徴とする。
【００２７】
上記はすなわち、異なる固定部品にそれぞれ係止させたバネ式変位計１２の各基端部を、一の貼り付けられたホルダ３の先部に並べて/重ねて保持した２系統の変位計である。
バネ式変位計１２は先端近傍を、測定対象物すなわち設備機器の固定部品（ボルト,プレート）に係止させてなると共に、基端を天井又は壁に固定してなる。また、弾性伸長する板面の中央位置の上下にそれぞれ、伸縮圧電素子を張り付けてなる。また、ホルダは変位計１２を並列保持し、かつ変位計１２それぞれの基部が、天井又は壁面と並行となるように保持する保持プレートからなる。
【００２８】
（固定状態計測システム）本発明の固定状態計測システムは、複数の設備機器に対してそれぞれ一または複数個ずつ設置された前記いずれかの固定状態計測器と、
各固定状態計測器と伝送線を介して接続され、各固定状態計測器による計測信号を受信する受信機と、
受信機が受信した計測信号から不要な情報をフィルタリングし、フィルタリング後の情報を表示する分析表示機と、を備えてなり、
前記分析表示機は、各設備機器の固定状態の分析結果を表示することを特徴とする。
【００２９】
（作用効果）
本発明の固定状態計測器において、伸縮検知器は、屈曲板の同じ箇所（同じ領域）の上下板面を一対として貼り付け固定され、弾性屈曲板の弾性変形を、板面の上下両側から伸縮の各変位動作として同時に検知することが好ましい。これによれば、一対の伸縮検知器が、屈曲板の上下両面の同じ箇所（同じ領域）の伸長状態と収縮状態とを対となって検知するため、屈曲板片面だけに生じる板面の微細変動や振動をノイズとして識別することができる。
【００３０】
ここで、一枚の弾性屈曲板に対し、伸縮検知器が一対ではなく複数対ずつ貼り付け固定されると、屈曲板の屈曲変位情報を複数個所で得ることとなるため、係止先の測定対象物の取り付け状態異常を確実に検知したり、或いは取り付け状態の詳細な検知信号を得たりすることができる。特に各対の伸縮検知器のうちいずれか複数が、屈曲板の板幅方向に並列配置して固定されると、屈曲板の長さ方向の弾性変形の検知信号だけでなく、幅方向の弾性変形の検知信号を同時に得ることができ、屈曲板面の二次方向検知によってより詳細な検知信号を得ることができる。
【００３１】
また、前記いずれかの固定状態計測器においてはさらに、バネ式変位計１の基部を保持固定するための「ホルダ３」を、「バネ式変位計１」とは別構造体として具備することで、弾性材からなるバネ式変位計１を取付面に対して確実に保持固定することが可能となり、また、固定後にいずれかの構造体のみを交換することが可能となる。このホルダ３は、バネ式変位計１の板状の基部を天井又は壁の取付け面に対して並行に保持固定することが好ましい。このように、バネ式変位計１の設置後のゼロ状態（非検知状態）を取付け面と並行に保つことで、取付け面との並行面を統一基準とした弾性屈曲変位を検知することとなり、より正確な検知情報を得ることができる。
【００３２】
実施例１（図３）のように、ホルダ３が、測定対象物周辺の天井又は壁面であって、測定対象物の埋め込み固定による破壊想定領域の範囲外にアンカー固定されるものであれば、測定対象物の埋め込み異常の影響をうけることなく、測定対象物の変位動をより正確に検知することができる。また、ホルダ３自体の取付面へのアンカー固定によって、測定対象物の埋め込み状態に影響を与えることがなくなる。
【００３３】
或いは実施例２（図７）のように、ホルダ３が、測定対象物の埋め込み固定による破壊想定領域の断面境界（すなわち、取付け面の構造体における断面破壊境界）と、取付け構造体の内部で交わるようにアンカー固定されるものとしており、かつ、このアンカー固定材自体が屈曲検知器を備えるものであれば、取り付け構造体内に埋め込まれたアンカー固定材の屈曲検知器によって取付け面の構造体内の破壊進行をより早い段階で検知することができる。
【００３４】
また、前記いずれかの固定状態計測器においてはさらに、各伸縮検知器と有線接続された伝送線を介して受信機と電気接続されて設置されるものであって、伝送線は、ホルダのアンカー固定箇所の下部を通るようにして当該固定箇所近傍の天井又は壁に保持固定される呼び線部分を有し、この呼び線部分が、ホルダの落下時にホルダを受け止めるか或いはホルダの落下を検知することが好ましい。
呼び線部分は具体的には、伝送線の線長の中途部分が落下防止ピンによって近傍に保持固定され、保持固定された状態で、ある程度の線の張りを有しながらホルダのアンカー固定箇所の下部を通るように構成される。このように構成された呼び線部分が落下時のホルダを受け止めることで、ホルダ自体、或いはホルダを含む固定状態計測器自体が取付け面から落下することを防止することができる。特に、伝送線自体を落下防止コードとして用いるため、落下受け止めの際に、伸縮検知器と伝送線の引張による回路断線直前の検知信号を得ることができ、落下自体を検知することが可能となる。
【００３５】
また、実施例１のように、前記伝送線の呼び線部分による落下受け止めと共に、ホルダの固定アンカーのうち、天井又は壁から突出した突出部分に挿通孔３１Ｈを設け、この挿通孔３１Ｈ落下防止線を挿通し、落下防止ピンによって、ある程度の線の張りを有しながらホルダのアンカー固定箇所の下部を通る「落下防止専用線」が構成されるものとしてもよい。このように「呼び線部分」と「落下防止専用線」とが、共に落下時のホルダを受け止めるように複数本配置されることで、落下時のホルダを確実に受け止めることができ、また、ホルダ、或いはホルダを含む固定状態計測器の取付け面からの落下を検知することができる。
【００３６】
なお、落下防止専用線、伝送線の呼び線部分は共に、同一の落下防止ピンによって、アンカー固定箇所の外部近傍に係止保持されるものとし、取り付け面との間に加圧検知素子を挟んで圧接固定されることが好ましい。この場合、落下ホルダの受け止め時を落下防止ピンの加圧検知素子が検知することが可能となる。
【００３７】
或いは、実施例２のように、本発明の固定状態計測器は、
屈曲した弾性屈曲板からなり、基部が天井又は壁に固定されると共に、屈曲した先部が測定対象に係止し、屈曲部近傍の板面に伸縮検知器が固定されてなる第一のバネ式変位計１と、
屈曲した弾性屈曲板からなり、基部が天井又は壁に固定されると共に、屈曲した先部が前記バネ式変位計１とは異なる測定箇所に係止し、屈曲部近傍の板面に伸縮検知器が固定されてなる第二のバネ式変位計２と、
屈曲した弾性屈曲板からなり、基部が天井又は壁に固定されると共に、屈曲した先部が前記バネ式変位計１とは異なる測定箇所に係止し、屈曲部近傍の板面に伸縮検知器が固定されてなる第三のバネ式変位計と、・・・からなる複数のバネ式変位計１、２、・・・を備え、
これら第一、第二、第三、・・・からなる複数のバネ式変位計１１、１２の各基部を並べて或いは重ねて保持固定し、それ自体が測定対象物周辺の天井又は壁面にアンカー固定されるホルダ３と、を具備してなることが好ましい。併設固定された複数のバネ式変位計が一のホルダによって同時に固定されることで、同一の測定対象を複数箇所で同時測定することが可能となる。上記はすなわち、異なる固定部品にそれぞれ係止させたバネ式変位計の各基端部を、一の貼り付けられたホルダ３の先部に並べて／重ねて保持した複数系統の変位計であるから、複数の伸縮検知器のそれぞれが弾性板面の弾性伸長又は弾性圧縮を検知することで、天井又は壁に固定された測定対象物の固定状態をより詳細に測定し、或いは固定状態の異常をより確実に検知することができる。
【００３８】
実施例２のように、第一のバネ式変位計１の先端近傍を、測定対象物の付属固定部品である固定ボルトＢに係止させ、第二のバネ式変位計２の先端近傍を、測定対象物の固定部品そのものである固定プレートＰに係止させることで、取り付け面の天井又は壁を基準として固定ボルトＢ，固定プレートＰのぞれぞれの変位を同時測定することができ、各部品の相対変位や総合状態を知ることができる。また、各バネ式変位計１，２の板面の中央位置の上下にそれぞれ複数枚ずつの伸縮圧電素子を張り付けてなることで、測定ノイズを排除したより正確な測定が可能となる。また、ホルダは変位計１２を並列保持し、かつ変位計１２それぞれの基部が、天井又は壁面と並行となるように保持する保持プレートからなることで、測定対象から所定距離だけ離れた基準位置から各変位計の測定を行うことができる。このとき基部の伸長方向すなわち測定方向を並行させることで、異なるバネ式変位計でありながら共通する平面測定方向を得ることができ、各変位信号同士をリンクさせて異常検知することができる。
【００３９】
また、本発明の固定状態計測システムは、複数の設備機器に対してそれぞれ一または複数個ずつ設置された前記いずれかの固定状態計測器と、各固定状態計測器と伝送線を介して接続され、各固定状態計測器による計測信号を受信する受信機と、受信機が受信した計測信号から不要な情報をフィルタリングし、フィルタリング後の情報を表示する分析表示機と、を備えてなり、前記分析表示機が、各設備機器の固定状態の分析結果を表示することで、計測信号に基づく受信信号のフィルタリングと分析表示を随時行った監視システムとして構成することとなる。
【００４０】
本発明は上述した実施例に限られることなく、各実施例の構成ないし一部要素の一部省略・抽出、実施例間の一部構成ないし一部要素同士の組み合わせ、一部構成ないし一部要素の代替置換など、本発明の趣旨を逸脱しない範囲で適宜変更が可能である。
【符号の説明】
【００４１】
１  バネ式変位計（第一のバネ式変位計）
１１、２１  基部
１２、２２  屈曲変位部
１３、２３  先端部
１３Ｆ  係止部
１Ｌ  伝送線
２  バネ式変位計（第ニのバネ式変位計）
３  ホルダ
３Ｌ  落下防止専用線
ＬＳ，ＬＣ  落下防止ピン
ＳＡ，ＳＢ，ＳＣ，ＳＤ  伸縮検知器
【図１】
2014142287.tif 000003
【図２】
2014142287.tif 000004
【図３】
2014142287.tif 000005
【図４】
2014142287.tif 000006
【図５】
2014142287.tif 000007
【図６】
2014142287.tif 000008
【図７】
2014142287.tif 000009
【図８】
2014142287.tif 000010
【図９】
2014142287.tif 000011